(57)【要約】【課題】コネクタ側に新たな取付部を設けることなく取り付け可能な、簡易な構成のワイヤハーネス固定部材を提供する。【解決手段】本ワイヤハーネス固定部材１は、ワイヤハーネス２の端部に配されたコネクタ３にワイヤハーネスを固定するためのワイヤハーネス固定部材であって、ワイヤハーネスが固定されるワイヤハーネス固定部１１と、コネクタに取り付けられるコネクタ取付部１２と、を備え、ワイヤハーネスは、複数の電線２１を束ねてなり、複数の電線のそれぞれの末端には端子２２が取り付けられており、コネクタには、各端子を収容するための複数の端子収容孔３１が形成されており、コネクタ取付部は、複数の端子収容孔のうち、端子が収容されていない端子収容孔に挿入されて取り付けられることを特徴とする。【選択図】図１
2012191763.tif 000002
【特許請求の範囲】
【請求項１】
ワイヤハーネスの端部に配されたコネクタに前記ワイヤハーネスを固定するためのワイヤハーネス固定部材であって、
前記ワイヤハーネスが固定されるワイヤハーネス固定部と、
前記コネクタに取り付けられるコネクタ取付部と、を備え、
前記ワイヤハーネスは、複数の電線を束ねてなり、前記複数の電線のそれぞれの末端には端子が取り付けられており、
前記コネクタには、各前記端子を収容するための複数の端子収容孔が形成されており、
前記コネクタ取付部は、前記複数の端子収容孔のうち、前記端子が収容されていない端子収容孔に挿入されて取り付けられることを特徴とするワイヤハーネス固定部材。
【請求項２】
前記ワイヤハーネス固定部は、前記端子収容孔の延びる方向に沿った軸回りに回動可能に設けられている請求項１記載のワイヤハーネス固定部材。
【発明の詳細な説明】
【技術分野】
【０００１】
本発明は、ワイヤハーネスをコネクタに固定するためのワイヤハーネス固定部材に関する。更に詳しくは、コネクタ側に新たな取付部を設けることなく取り付け可能な、簡易な構成のワイヤハーネス固定部材に関する。
【背景技術】
【０００２】
従来より、エンジンルームやトランクルーム、車室といった車両の内部等にワイヤハーネスを配索することが知られている。ワイヤハーネスには、通常、その端部に、他のワイヤハーネス等と接続するためのコネクタが配されている。コネクタには複数の端子収容孔が設けられており、ワイヤハーネスの各端子がそれぞれ収容されている。このような構造において、振動等による外力が働いた場合、コネクタ首下と称するワイヤハーネスとコネクタとの接続部分に負荷が集中して損傷の原因となってしまうことがあった。そこで、負荷集中によるワイヤハーネスの損傷を防止するために、コネクタ首下においてワイヤハーネスをコネクタに固定する構造が知られている（例えば、特許文献１参照）。
【先行技術文献】
【特許文献】
【０００３】
【特許文献１】特開２００２−３１５１６２号公報
【発明の概要】
【発明が解決しようとする課題】
【０００４】
上記特許文献１に示されるような構造では、コネクタの外周に取付部を設けるとともに、この取付部からＬ字板状のプレートを差し出すように設け、コネクタ首下でプレート上にワイヤハーネスを固定するようにしている。しかしながら、このような構成の場合、Ｌ字板状のプレートを取り付けるための取付部を新たに設ける必要があった。
【０００５】
本発明は、以上の問題に鑑み、コネクタ側に新たな取付部を設けることなく取り付け可能な、簡易な構成のワイヤハーネス固定部材を提供することを目的とする。
【課題を解決するための手段】
【０００６】
上記問題点を解決するために、請求項１に記載の発明は、ワイヤハーネスの端部に配されたコネクタに前記ワイヤハーネスを固定するためのワイヤハーネス固定部材であって、前記ワイヤハーネスが固定されるワイヤハーネス固定部と、前記コネクタに取り付けられるコネクタ取付部と、を備え、前記ワイヤハーネスは、複数の電線を束ねてなり、前記複数の電線のそれぞれの末端には端子が取り付けられており、前記コネクタには、各前記端子を収容するための複数の端子収容孔が形成されており、前記コネクタ取付部は、前記複数の端子収容孔のうち、前記端子が収容されていない端子収容孔に挿入されて取り付けられることを要旨とする。
【０００７】
請求項２に記載の発明は、請求項１において、前記ワイヤハーネス固定部は、前記端子収容孔の延びる方向に沿った軸回りに回動可能に設けられていることを要旨とする。
【発明の効果】
【０００８】
本発明のワイヤハーネス固定部材によれば、ワイヤハーネスが固定されるワイヤハーネス固定部と、コネクタに取り付けられるコネクタ取付部と、を備えている。そして、コネクタ取付部は、コネクタに通常形成されている端子収容孔に取り付けられる。このような構成により、コネクタ側に新たな取付部を設けたり、コネクタを加工したりすることなく、既存のコネクタに対してワイヤハーネスを固定することができる。
【０００９】
また、前記ワイヤハーネス固定部は、前記端子収容孔の延びる方向に沿った軸回りに回動可能に設けられている場合は、端子が収容されていない端子収容孔の位置に拘わらず、ワイヤハーネスの位置に応じて、ワイヤハーネスを好適に固定することができる。
【図面の簡単な説明】
【００１０】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】ワイヤハーネス固定部材の適用例を示す斜視図である。
【図２】実施例に係るワイヤハーネスを示す斜視図である。
【図３】実施例に係るコネクタを示す部分断面斜視図である。
【図４】実施例に係るワイヤハーネス固定部材を示す斜視図である。
【図５】ワイヤハーネス固定部材をコネクタに取り付けた例を示す部分断面斜視図である。
【図６】実施例に係るワイヤハーネス固定部材の作用を説明するための説明図である。
【図７】実施例に係るワイヤハーネス固定部材の作用を説明するための説明図である。
【図８】実施例に係るワイヤハーネス固定部材の作用を説明するための説明図である。
【図９】他の実施形態に係るワイヤハーネス固定部材を示す斜視図である。
【図１０】他の実施形態に係るワイヤハーネス固定部材を示す斜視図である。
【図１１】他の実施形態に係る係合部を説明するための説明図である。
【図１２】他の実施形態に係るコネクタ取付部を説明するための説明図である。
【図１３】他の実施形態に係るワイヤハーネス固定部材を示す斜視図である。
【図１４】ワイヤハーネス固定部材の適用例を示す斜視図である。
【図１５】他の実施形態に係るワイヤハーネス固定部材を説明するための説明図である。
【発明を実施するための形態】
【００１１】
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１２】
本実施形態に係るワイヤハーネス固定部材（１）は、ワイヤハーネス（２）の端部に配されたコネクタ（３，３Ａ，３Ｂ）にワイヤハーネスを固定するためのワイヤハーネス固定部材である（例えば、図１、図１４、図１５等参照）。ワイヤハーネスは、複数の電線（２１）を束ねてなり、各電線のそれぞれの末端には端子（２２）が取り付けられている（例えば、図２等参照）。コネクタには、各電線の端子を収容するための複数の端子収容孔（３１，３１Ａ）が形成されている（例えば、図３、図１５等参照）。そして、ワイヤハーネス固定部材は、ワイヤハーネスが固定されるワイヤハーネス固定部（１１，１１Ａ，１１Ｂ）と、コネクタに取り付けられるコネクタ取付部（１２，１２Ａ）と、を備え、コネクタ取付部は、コネクタに形成された複数の端子収容孔のうち、端子が収容されていない端子収容孔に挿入されて取り付けられる（例えば、図４、図５、図９、図１０、図１２等参照）。
【００１３】
上記ワイヤハーネス固定部材の構成、大きさ等は特に問わない。このワイヤハーネス固定部材の材質としては、例えば、樹脂、セラミックス、金属等を挙げることができ、特に、樹脂等の絶縁材であることが好ましい。
上記ワイヤハーネスの構成、電線の数等は特に問わない。また、上記端子の形状、大きさ、材質等も特に問わない。
上記コネクタの形状、大きさ、材質等は特に問わない。また、上記端子収容孔の形状、大きさ、個数、端子の収容形態等も特に問わない。端子収容孔の断面形状としては、例えば、略矩形状（例えば、図３等参照）、略正方形状、略円形状（例えば、図１５等参照）、略楕円形状等が挙げられる。
【００１４】
なお、ワイヤハーネスの端部に配されるコネクタは、通常、電線が増設されること等を考慮して、ワイヤハーネスを構成する電線の数よりも多い数の端子収容孔が形成されたコネクタが用いられる。これにより、通常、コネクタには、ワイヤハーネスを構成する電線の数よりも多い数の端子収容孔があり、端子が収容されていない端子収容孔が存在する（例えば、図１等参照）。
【００１５】
上記ワイヤハーネス固定部の形状、大きさ、ワイヤハーネスの固定形態等は特に問わない。ワイヤハーネス固定部の形状としては、例えば、略Ｌ字形状（例えば、図４等参照）、略Ｔ字形状（例えば、図９等参照）、略Ｉ字形状（例えば、図１０等参照）、略Ｖ字形状、略Ｕ字形状、略十字形状、略Ｅ字形状、略Ｈ字形状、略Ｓ字形状、略Ｎ字形状、略Ｚ字形状等を挙げることができる。ワイヤハーネス固定部におけるワイヤハーネスの固定形態としては、例えば、粘着テープ（例えば、図１等参照）、結束バンド、クランプ等の固定手段（４）や、接着剤等により固定する形態であることができる。また、上記固定手段は、ワイヤハーネス固定部と別体であってもよいし、一体に形成されていてもよい。
【００１６】
上記コネクタ取付部の形状、大きさ等は特に問わない。コネクタ取付部の形状としては、例えば、略円柱形状（例えば、図４等参照）、略多角形柱状（例えば、図１２等参照）等が挙げられる。
【００１７】
本実施形態に係るワイヤハーネス固定部材は、例えば、上記ワイヤハーネス固定部は、上記端子収容孔の延びる方向に沿った軸回りに回動可能に設けられていることができる。ワイヤハーネス固定部が回動する形態としては、例えば、（ｉ）コネクタ取付部が端子収容孔内で回動可能に設けられており、コネクタ取付部とワイヤハーネス固定部とが一体に回動する形態（例えば、図７等参照）、（ｉｉ）コネクタ取付部とワイヤハーネス固定部との間に回動機構（１３）が介在しており、端子収容孔に対してその位置が固定されたコネクタ取付部に対して、ワイヤハーネス固定部のみが回動する形態（例えば、図１３等参照）等をあげることができる。
【００１８】
本実施形態に係るワイヤハーネス固定部材は、例えば、端子収容孔からコネクタ内に水や塵等の異物が侵入するのを防止するシール部材（１４）を更に備えることができる（例えば、図１５等参照）。
このシール部材の形態は、既存の防水コネクタ（３Ｂ）の端子収容孔（３１Ａ）に採用されている形態と同様の形態であることができるが、例えば、（ｉ）コネクタ取付部の外周面に嵌着されるとともに、コネクタ取付部が端子収容孔に挿入されて取り付けられたときには、端子収容孔の周壁に圧接される形態（例えば、図１５等参照）、（ｉｉ）コネクタ取付部の外周面に嵌着されるとともに、コネクタ取付部が端子収容孔に挿入されて取り付けられたときには、端子収容孔の開口周囲に圧接される形態等であることができる。
【００１９】
本実施形態に係るワイヤハーネス固定部材は、例えば、抜け止め手段により、コネクタに対して抜け止め状態にロックされていることができる（例えば、図５等参照）。
上記抜け止め手段は、例えば、端子収容孔に予め形成された端子抜け止め用の抜け止め部（３２）と、この抜け止め部に係合するようにコネクタ取付部に設けられた係合部（１２１，１２１Ａ）と、からなることができる（例えば、図５、図１１等参照）。
上記係合部は、上記抜け止め部に係合するようにコネクタ取付部に設けられている限り、その形状、形態等は特に問わない。この係合部は、例えば、既存の端子に採用されている形態と同様の形態であることができる。
【実施例】
【００２０】
以下、本発明のワイヤハーネス固定部材を図面に基づいて説明する。
【００２１】
（１）ワイヤハーネス固定部材の構成
本実施例に係るワイヤハーネス固定部材１は、図１に示すように、ワイヤハーネス２の端部に配されたコネクタ３にワイヤハーネス２を固定するためのものである。
ワイヤハーネス２は、図２に示すように、複数（図２中４本）の電線２１を束ねてなる。これら複数の電線２１のそれぞれの末端には端子２２が取り付けられており、コネクタ３の端子収容孔３１に収容されている。各端子２２には凹状部２２１が形成されている。
【００２２】
コネクタ３は、図３に示すように、端子２２の数よりも多い数の複数（図３中８箇所）の端子収容孔３１が形成されたものが採用されている。各端子収容孔３１は、それぞれ断面略矩形状の貫通孔として形成されている。各端子収容孔３１には、端子２２の抜け止めのための抜け止め部３２が設けられている。抜け止め部３２は、端子収容孔３１の周壁の一部を内側方向に突出させるようにして形成されている。そして、端子２２は、凹状部２２１が抜け止め部３２に係合した状態で、端子収容孔３１に収容されている。なお、本実施例において、コネクタ３は雌コネクタとしている。
【００２３】
ワイヤハーネス固定部材１は、図４に示すように、ワイヤハーネス２が固定されるワイヤハーネス固定部１１と、コネクタ３に取り付けられるコネクタ取付部１２と、を備えている。本実施例において、ワイヤハーネス固定部材１は樹脂製で、ワイヤハーネス固定部１１とコネクタ取付部１２とが一体に形成されている。
【００２４】
ワイヤハーネス固定部１１は略Ｌ字形状に形成されている。ワイヤハーネス固定部１１は、この略Ｌ字形状の内側部分でワイヤハーネス２の外周面を挟みこむようにして保持し、この状態で、ワイヤハーネス２の径方向に固定手段としての粘着テープ４が巻き付けられることによりワイヤハーネス２を固定する。
【００２５】
コネクタ取付部１２は、複数の端子収容孔３１のうち、端子２２が収容されていない端子収容孔３１に挿入されて取り付けられる。本実施例において、コネクタ取付部１２は略円柱状に形成されており、端子収容孔３１に挿入されたときに、端子収容孔３１内で回動可能に取り付けられている。そして、これにより、コネクタ取付部１２と一体に形成されているワイヤハーネス固定部１１が、端子収容孔３１の延びる方向に沿った軸回りに回動可能となっている。
【００２６】
図４に示すように、コネクタ取付部１２には、抜け止め部３２と係合する係合部１２１が形成されている。係合部１２１は、コネクタ取付部１２の外周を溝状に陥没させるように形成されている。また、係合部１２１は、コネクタ取付部１２の外周の全周に渡って形成されている。このため、ワイヤハーネス固定部１１の回動方向においては、抜け止め部３２により規制されることなく自在に回動可能となっている。
【００２７】
（２）ワイヤハーネス固定部材の作用
次に、ワイヤハーネス固定部材１の作用について説明する。
ワイヤハーネス固定部材１を用いてコネクタ３にワイヤハーネス２を固定するにあたり、最初に、図６に示すように、コネクタ取付部１２を空いている端子収容孔３１のいずれかに挿入する。このとき、コネクタ取付部１２の係合部１２１が端子収容孔３１内の抜け止め部３２と係合するまで挿入する。これにより、ワイヤハーネス固定部材１がコネクタ３に取り付けられる。
【００２８】
次に、図７に示すように、端子収容孔３１の延びる方向に沿った軸回りにワイヤハーネス固定部１１を回動させて、ワイヤハーネス固定部１１の略Ｌ字形状の部分の内側面をワイヤハーネス２の外周面に当接させる。最後に、図８に示すように、ワイヤハーネス２とともにワイヤハーネス固定部１１に粘着テープ４を巻き付ける。これにより、ワイヤハーネス２がワイヤハーネス固定部１１に固定され、ワイヤハーネス２とコネクタ３とが固定される。
【００２９】
（３）実施例の効果
以上より、本実施例のワイヤハーネス固定部材１によると、ワイヤハーネス２が固定されるワイヤハーネス固定部１１と、コネクタ３に取り付けられるコネクタ取付部１２と、を備えている。そして、コネクタ取付部１２は、コネクタ３に通常形成されている端子収容孔３１に取り付けられる。このような構成により、コネクタ側に新たな取付部を設けたり、コネクタを加工したりすることなく、既存のコネクタに対してワイヤハーネスを固定することができる。また、コネクタ取付部１２を端子収容孔３１に挿入して取り付けるようにしているので、従来のようにコネクタの外周側にコネクタ側の取付部を設ける必要がなく、コネクタの雌雄に拘わらず適用することができる。
【００３０】
また、本実施例では、ワイヤハーネス固定部１１は、端子収容孔３１の延びる方向に沿った軸回りに回動可能に設けられているので、端子２２が収容されていない端子収容孔３１の位置に拘わらず、ワイヤハーネス２の位置に応じて、ワイヤハーネス２を好適に固定することができる。
【００３１】
更に、本実施例では、ワイヤハーネス固定部１１を略Ｌ字形状とし、粘着テープ４を用いてワイヤハーネス２を固定するようにしたので、略Ｌ字ワイヤハーネスの径の違いに依らず、種々の種類のワイヤハーネスを固定ことができる。
【００３２】
また、本実施例では、ワイヤハーネス固定部１１とコネクタ取付部１２とを樹脂により一体に形成したので、簡易な構成であるとともに、容易に製造できるワイヤハーネス固定部材を実現できる。
【００３３】
更に、本実施例では、コネクタ取付部１２に係合部１２１を形成し、この係合部１２１が、端子２２の抜け止めのために予め設けられている抜け止め部３２と係合するようにしたので、ワイヤハーネス固定部材１が端子収容孔３１から抜けてしまうのを防止できる。
【００３４】
なお、本発明においては、上記実施例に限られず、目的、用途に応じて本発明の範囲内で種々変更することができる。即ち、上記実施例では、本発明に係るワイヤハーネス固定部として、略Ｌ字形状のワイヤハーネス固定部１１を例示したが、これらに限定されず、例えば、図９に示すように、略Ｔ字形状のワイヤハーネス固定部１１Ａとしたり、図１０に示すように、略Ｉ字形状のワイヤハーネス固定部１１Ｂとしたりなど、種々の形状のワイヤハーネス固定部とすることができる。
【００３５】
また、上記実施例では、ワイヤハーネス２をワイヤハーネス固定部１１に固定する固定手段として粘着テープ４を用いる例を示したが、これに限定されず、例えば、結束バンドやクランプ等の固定手段により固定するようにしてもよい。
【００３６】
更に、上記実施例では、コネクタ取付部１２の外周の全周に渡って溝状に陥没する係合部１２１を例示したが、これに限定されず、例えば、図１１に示すように、コネクタ取付部１２の外周が凹状に陥没する係合部１２１Ａとしてもよい。この場合、ワイヤハーネス固定部１１の回動方向において、抜け止め部３２により規制されることにより回動不能となる。これにより、より強固にワイヤハーネス２をコネクタ３に固定することができる。
【００３７】
また、上記実施例では、略円柱状に設けられたコネクタ取付部１２を例示したが、これに限定されず、例えば、図１２に示すように、略多角柱状に設けられたコネクタ取付部１２Ａとしてもよい。この場合、コネクタ取付部１２Ａが、断面略矩形状に形成されている端子収容孔３１に回動不能に取り付けられるので、より強固にワイヤハーネス２をコネクタ３に固定することができる。
【００３８】
更に、上記実施例では、コネクタ取付部１２を略円柱状に形成し、端子収容孔３１に取り付けられたときにコネクタ取付部１２が端子収容孔３１内で回動可能であることにより、コネクタ取付部１２と一体にワイヤハーネス固定部１１が回動する例を示したが、これに限定されず、例えば、図１３に示すように、ワイヤハーネス固定部１１とコネクタ取付部１２との間に回動機構１３を介在させることにより、コネクタ取付部１２Ａは端子収容孔３１に回動不能に取り付けられ、このコネクタ取付部１２Ａに対してワイヤハーネス固定部１１が回動するようにしてもよい。
【００３９】
また、上記実施例では、ワイヤハーネス固定部材１を雌コネクタ３に適用する例を示したが、これに限定されず、例えば、図１４に示すように、雄コネクタ３Ａに適用するようにしてもよい。
【００４０】
更に、本発明に係るワイヤハーネス固定部材を防水コネクタに適用する場合には、図１５に示すように、端子収容孔３１Ａから防水コネクタ３Ｂ内に水や塵等の異物が侵入するのを防止するシール部材１４を更に備えるようにしてもよい。図１５において、シール部材１４は、コネクタ取付部１２の外周面に嵌着されるとともに、コネクタ取付部１２が端子収容孔３１Ａに挿入されて取り付けられたときには、端子収容孔３１Ａの周壁に圧接されるようになっている。これにより、防水コネクタの防水性能を損なうことなくワイヤハーネス固定部材を適用することができる。
【００４１】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００４２】
本発明は上記で詳述した実施形態に限定されず、本発明の請求項に示した範囲で様々な変形または変更が可能である。
【産業上の利用可能性】
【００４３】
ワイヤハーネスのコネクタ首下にかかる負荷を軽減する技術として広く利用される。特に、乗用車、バス、トラック等の他、列車、汽車等の鉄道車両、建設車両、農業車両、産業車両などの車両に配索されるワイヤハーネスのコネクタ首下にかかる負荷を軽減する技術として好適に利用される。
【符号の説明】
【００４４】
１；ワイヤハーネス固定部材、１１，１１Ａ，１１Ｂ；ワイヤハーネス固定部、１２，１２Ａ；コネクタ取付部、１２１，１２１Ａ；係合部、１３；回動機構、１４；シール部材、２；ワイヤハーネス、２１；電線、２２；端子、２２１；凹状部、３；コネクタ（雌コネクタ）、３Ａ；雄コネクタ、３Ｂ；防水コネクタ、３１，３１Ａ；端子収容孔、３２；抜け止め部、４；固定手段（粘着テープ）。
【図１】
2012191763.tif 000003
【図２】
2012191763.tif 000004
【図３】
2012191763.tif 000005
【図４】
2012191763.tif 000006
【図５】
2012191763.tif 000007
【図６】
2012191763.tif 000008
【図７】
2012191763.tif 000009
【図８】
2012191763.tif 000010
【図９】
2012191763.tif 000011
【図１０】
2012191763.tif 000012
【図１１】
2012191763.tif 000013
【図１２】
2012191763.tif 000014
【図１３】
2012191763.tif 000015
【図１４】
2012191763.tif 000016
【図１５】
2012191763.tif 000017